(57)【特許請求の範囲】
【請求項１】
アクチュエータと、このアクチュエータにより駆動されるヘッドと、このヘッドが情報記録再生媒体から読み出した情報からヘッド位置信号を取り出す回路とを制御対象とし、前記回路により取り出されたヘッド位置信号の示すヘッド位置が与えられた目標位置となるように制御するための操作信号を生成して前記アクチュエータを制御する位置決め制御装置において、
前記目標位置と前記ヘッド位置との差を誤差信号として取り出す誤差検出手段と、
この手段からの誤差信号を入力とし、少なくとも前記制御対象に存在する振動モードを安定化するように位相補償を行って前記操作信号を生成する補償器と、
この補償器から出力される操作信号を入力とし、与えられた位置決め精度向上対象周波数もしくはその近傍にその共振周波数を有し、かつその出力が前記ヘッド位置信号に加算されるところの共振フィルタと、
から構成したことを特徴とする位置決め制御装置。
【請求項２】
請求項１に記載の位置決め制御装置において、前記補償器および共振フィルタを備えた当該位置決め制御装置と前記制御対象とを接続したときの開ループ伝達特性をナイキスト線図上で表したベクトル軌跡において、前記共振フィルタは、前記位置決め精度向上対象周波数の近傍で周波数の増大と共にナイキスト線図上の不安定点（−１，０）から遠ざかる方向の右回りの円軌跡を生成する特性を有することを特徴とする位置決め制御装置。
【請求項３】
請求項１に記載の位置決め制御装置において、前記共振フィルタは、ａをモード定数、ωを共振周波数の２π倍の値、ζを粘性係数としたとき、
ａ／（ｓ２＋２ζωｓ＋ω２）
で表される伝達特性を有したことを特徴とする位置決め制御装置。
【発明の詳細な説明】
【０００１】
【発明の属する技術分野】
本発明は、位置決め制御装置に係り、特に磁気ディスク装置のヘッドの位置決めに適した位置決め制御装置に関する。
【０００２】
【従来の技術】
コンピュータの外部記憶装置である磁気ディスク装置は、磁気ヘッドが回転している磁気ディスク面上の目標とするトラックに追従し、そのトラック上にデータの記録再生を行っている。このためには、磁気ヘッドを目標とするトラック上へ正確に位置するようにするための制御が必要である。最近では、磁気ディスク装置の記憶容量を増加させるため、トラック幅が小さくなる傾向にあり、一層の位置決め精度の向上と高速化が必要となっている。
【０００３】
位置決め精度を悪化させる要因の１つにディスクの回転に同期した位置信号の振動や外部からの外乱がある。これらは位置信号の振動となって現れ、このような振動を十分に抑圧する制御が必要である。このための従来技術としては、例えば特開平５−２９８８４２があり、位置情報に含まれる偏心成分に追従してヘッドを位置決めする手法が開示されている。この従来技術では、ディスク回転や外乱等に帰因する振動周波数に共振点を持つ数学モデルを用いてその振動を抑制するための制御信号を生成し、これを磁気ヘッドの位置決めのためのサーボ制御信号に加えるという方法を用いている。
【０００４】
【発明が解決しようとする課題】
上記した特開平５−２９８８４２の技術によれば、回転等に伴う振動成分を抑圧できるが、その振動の周波数が制御系の感度関数が０ｄＢ以上となる周波数域に存在する場合には制御系が不安定となり、発散することが起こり得る。
【０００５】
本発明は、制御系の感度関数が０ｄＢ以上となる周波数域に抑制しようとする周波数がある場合でも、制御系の安定性を損なうことなく振動を抑止できるようにした位置決め制御装置を提供することを目的とする。
【０００６】
【課題を解決するための手段】
上記の目的を達成するために、本発明は、アクチュエータと、このアクチュエータにより駆動されるヘッドと、このヘッドが情報記録再生媒体から読み出した情報からヘッド位置信号を取り出す回路とを制御対象とし、前記回路により取り出されたヘッド位置信号の示すヘッド位置が与えられた目標位置となるように制御するための操作信号を生成して前記アクチュエータを制御する位置決め制御装置において、
前記目標位置と前記ヘッド位置との差を誤差信号として取り出す誤差検出手段と、
この手段からの誤差信号を入力とし、少なくとも前記制御対象に存在する振動モードを安定化するように位相補償を行って前記操作信号を生成する補償器と、
この補償器から出力される操作信号を入力とし、与えられた位置決め精度向上対象周波数もしくはその近傍にその共振周波数を有し、かつその出力が前記ヘッド位置信号に加算されるところの共振フィルタと、
から構成したことを特徴とする位置決め制御装置を提供する。
【０００７】
また、本発明は、前記の位置決め制御装置において、前記補償器および共振フィルタを備えた当該位置決め制御装置と前記制御対象とを接続したときの開ループ伝達特性をナイキスト線図上で表したベクトル軌跡において、前記共振フィルタは、前記位置決め精度向上対象周波数の近傍で周波数の増大と共にナイキスト線図上の不安定点（−１，０）から遠ざかる方向の右回りの円軌跡を生成する特性を有することを特徴とする位置決め制御装置を提供する。
【０００８】
さらに、本発明は、前記の位置決め制御装置において、前記共振フィルタは、ａをモード定数、ωを共振周波数の２π倍の値、ζを粘性係数としたとき、
ａ／（ｓ２＋２ζωｓ＋ω２）
で表される伝達特性を有したことを特徴とする位置決め制御装置を提供する。
【０００９】
【発明の実施の形態】
以下、本発明の実施の形態を詳細に説明する。図２は、磁気ディスク装置のヘッド位置決め制御系を示した機能ブロック図である。同図において、スピンドルモータ６には、記録媒体である磁気ディスク５が固定されており、定められた回転数により回転している。また、スピンドルモータ６に保持された磁気ディスク５の側方向には、ピボット軸受３が、スピンドルモータ軸に平行になるように設けられている。キャリッジ４はピボット軸受３に揺動可能に固定されており、磁気ヘッド１はキャリッジ４の先端に固定されている。磁気ヘッド１を移動させるための動力はボイスコイルモータ（ＶＣＭ）２により発生する。磁気ディスク上のサーボセクター７に記録されている位置信号等の信号は磁気ヘッド１により検出され、ヘッド信号増幅器８により増幅され、サーボ信号復調器９により復調される。復調されたサーボ信号１９はＡＤ変換器１０によりデジタル化され、この中にデジタル化された位置信号２０も含まれている。こうして得られた位置信号２０はバス１３を介してＭＰＵ１６に取り込まれる。
【００１０】
ＭＰＵ１６に対してはバス１３を介してＲＯＭ１５、ＲＡＭ１４が設けらている。ＲＯＭ１５にはＭＰＵ１６で実行する各種の制御プログラムが格納され、また各種の制御に必要なパラメータも格納されている。また、ＭＰＵ１６に対してはバス１３を介してインターフェースコントローラ１７が接続されてより、ホスト側コントローラ１８からのコマンドを受けて、ＭＰＵ１６に対してリードライトのアクセス要求を出す。データのリードライトを要求するコマンドが発行されると、ＭＰＵ１６はＲＯＭ１５に格納されている位置決め制御用のプログラムを実行して、入力された位置信号２０から目標位置までの距離を求め、この移動距離に応じて最適なＶＣＭ制御信号２１を生成する。生成されたＶＣＭ制御信号２１は、ＤＡ変換器１１を介してパワーアンプ制御信号２２となり、パワーアンプ１２を介して電流２３に変換され、ＶＣＭ２へ印加される。これによって磁気ヘッドは目標とする位置に位置決めされる。
【００１１】
以上の図２に示した技能ブロック図は、本発明の位置決め制御装置でも同じであるが、本発明は、位置信号２０を入力してＶＣＭ制御装置信号２１を生成するためのＭＰＵ１６による処理方法に特徴がある。図１は、本発明の位置決め制御装置の構成例を示すブロック線図である。図１において、制御対象３０は、図２のＭＰＵ１６で算出されたＶＣＭ制御信号２１を入力とし、デジタル化された位置信号２０を出力するところの、ＤＡ変換器１１からＡＤ変換器１０に至るまでの部分に相当し、その入出力特性を表したものが伝達関数Ｐ（ｚ）である。また、制御部２７は、本発明の特徴とする共振フィルタ２９（伝達関数をＣｐ（ｚ）とする）と磁気ディスク装置では公知であるところの望ましい制御性能を実現するためのフォロイング補償器２８（伝達関数をＣｆ（ｚ）とする）から構成されている。この構成では、図２のホスト側コントローラから目標位置を含むコマンドが発行されると、この目標位置と位置信号２０の差分信号であるＰＥＳ（position error signal）２５をフォロイング補償器２８に入力することにより、フォロイング補償器２８の出力信号であるＶＣＭ制御信号２１を生成する。このＶＣＭ制御信号２１を制御対象３０および共振フィルタ２９への入力とする。そして、共振フィルタ２９からの出力２６を位置信号２０に加算する。
【００１２】
この構成の特徴は、前記した特開平５−２９８８４２では、共振特性を持つ数学モデルの入力が上記のＰＥＳであり、かつその出力もＰＥＳに加算しており、数学モデルはＰＥＳに対するフィートフォワード補償器として用いられるのに対し、本発明の図１の構成では共振フィルタ２９が抑制したい周波数に共振点を持つ点は上記公知側と同様であるが、制御部２７の出力であるＶＣＭ制御側２１を共振フィルタ２９の入力としてその出力をＰＥＳへフィードバックすることによりＰＥＳに対する補償を行うように構成している点である。
【００１３】
以下、図１の詳細を述べる。まず、制御対象３０は、剛体モードと１つの振動モードからなる（数１）の機構系モデルＰｃ（ｓ）を、ディジタル制御系であることを想定して零次ホールド付で離散化したものとする。
【数１】
0004010867.tif 000002
その際、サンプリング時間をＴｓとする。たとえば、モード定数ａｒ＝−１，粘性係数ζｒ＝０．０３、共振周波数ωｒ／２π＝６０００Ｈｚとし、サンプリング時間Ｔｓを５０μｓとする。図３は、このときの制御対象３０の伝達特性Ｐ（ｚ）（ゲイン特性３１、位相特性３２）を示す。この制御対象３０においては、振動モードのモード定数ａｒは負であり、剛体モードのモード定数１とは正負が反対（逆相）である。なお、ここでいう共振周波数ωｒは、例えばキャリッジ等の固有振動周波数である。
【００１４】
フォロイング補償器２８は例えば次のような特性を持つように設定する。外力が制御系に作用する場合にも定常偏差を生じないように、低周波数域において１次の積分特性を与える。また、剛体モードを安定化するために１ｋＨｚ〜２ｋＨｚでの位相進みが大きくなるような１次の位相進み特性を与える。また、振動モードの位相を安定化するために、５ｋＨｚ以降の位相を遅らせる１次の位相遅れ特性を与える。また補償器の比例ゲインは、制御系の開ループ伝達特性におけるゲインＯｄＢクロスオーバ周波数（入出力の振幅比が１となる周波数）が１７００Ｈｚとなるようにゲイン特性を与える。図４は、このときのフォロイング補償器２８の伝達特性（ゲイン特性３３、位相特性３４）を示す。
【００１５】
図５は、図３の特性を持つ制御対象３０と図４の特性を持つフォロイング補償器２８を直列に結合した場合の開ループ伝達特性Ｃｆ（ｚ）・Ｐ（Ｚ）のゲイン特性３６および位相特性３７を示す。また、図６は上記図５の開ループ伝達特性Ｃｆ（ｚ）・Ｐ（ｚ）のナイキスト線図上のベクトル軌跡３８を示している。このナイキスト線図上でベクトル軌跡３８が実軸と交差する周波数（位相−１８０°交差周波数）は３．４ｋＨｚであり、この位相−１８０°交差周波数より低い周波数（下半平面にある周波数）ではモード定数ａｒが正であるモードが安定であり、位相−１８０°交差周波数より高い周波数（上半平面にある周波数）においてはモード定数ａｒが負であるモードが安定である。図３の特性を持つ制御対象３０の共振周波数はωｒ／２π＝６ｋＨｚであったから、これは、フォロイング補償器２８により、制御対象の有する振動モードがナイキスト線図の上半平面を通過するようにして安定化されていることを意味する。即ち、フォロイング補償器によりキャリッジ等の固有振動等に対しては、ヘッドが安定に追従するように制御されている。
【００１６】
次に本発明の特徴とする共振フィルタ２９の構造と設計方法を示す。共振フィルタ２９の伝達特性ＣＰ（ｚ）は、（数２）に示す２次の連続時間フィルタＣｐｃ（ｓ）を零次ホールドにより離散化したフィルタとし、そのサンプリング時間をＴｓとする。
【数２】
0004010867.tif 000003
以下（数２）の係数ａ、ζ、ωの与え方を示す。はじめに位置決め精度を向上しようとする、即ち特に振動等による外部を抑制したい周波数を例えば２ｋＨｚと設定する。すると２ｋＨｚは図６の位相−１８０°交差周波数３．４ｋＨｚより低い周波数なので制御対象の６ｋＨｚ振動モードとは逆相となるようにモード定数ａを正として選定する。モード定数ａの絶対値の大きさは、共振フィルタが影響する周波数域を決定するものであり、共振フィルタの効果を期待する周波数幅に応じて決定する。ここではａ＝０．１とし、共振フィルタの影響を２ｋＨｚ付近に限定する。また、粘性係数ζは共振フィルタのピークゲインを決定するものであり、ζが小さければ小さいほど共振フィルタの効果が大きくなる。ここではζ＝０  とする。共振周波数ωは位置決め精度を向上する周波数とほぼ一致するように選定する。但し、制御系の感度関数が周波数ωにおいて最も圧縮されるわけではなく、感度関数が所望の周波数にて最も圧縮されるように微調整する必要がある。ここでは、２ｋＨｚでの感度関数が最小となるようにω＝２×π×１９５０〔ｒａｄ／ｓ〕と選定した。図７にこのときの共振フィルタ２９の伝達関数Ｃｐ（Ｚ）（ゲイン特性３９，位相特性４０）を示す。
【００１７】
伝達特性Ｃｆ（ｚ）と伝達特性Ｃｐ（ｚ）を持つ図１の制御部２７の伝達特性Ｃｐｆ（ｚ）は（数３）となる。
【数３】
0004010867.tif 000004
図８は、フォロイング補償器２８の伝達特性Ｃｆ（ｚ）が図４であり、共振フィルタ２９の伝達特性Ｃｐ（ｚ）が図７の時、制御部２７の伝達特性Ｃｐｆ（ｚ）（ゲイン特性４２，位相特性４３）を示したものである。更にこの図８の特性を持つ制御部２７と制御３０を接続したときの開ループ伝達特性Ｃｐｆ（ｚ）・Ｐ（ｚ）は図９で表される（ゲイン特性４５，位相特性４６）。
【００１８】
図８に示されているように、共振フィルタを設けることにより制御部２７の位相特性４３は、共振フィルタ２９の共振周波数である１９５０Ｈｚ付近にて、局所的に位相が遅れた後に局所的に位相が進む特性を有していることがわかる。このことは，開ループ伝達特性から制御対象の伝達特性を差し引くことにより確認することも可能である。そして図９の開ループ伝達特性Ｃｐｆ（ｚ）・Ｐ（ｚ）の位相特性も、共振フィルタ２９の共振周波数である１９５０Ｈｚ付近にて、局所的に位相が遅れた後に局所的に位相が進む特性を有していることがわかる。
【００１９】
図１０は、図９の開ループ伝達特性をナイキスト線図で表したベクトル軌跡である。共振フィルタ２９がないときのフォロイング補償器２８（伝達特性Ｃｆ（ｚ））のベクトル軌跡は図６であったが、共振フィルタ２９を付加することにより図１０では円状の軌跡４８が図６の軌跡に付加された形となっている。この付加された円状の軌跡４８は、共振フィルタ２９のゲインが大きくなる共振周波数近傍の周波数領域で現れ、図９の特性に対して、不安定点である座標（−１、０）から遠ざかる方向へ右回り（時計回り）に円軌跡を描ている。共振フィルタ２９のパラメータに依存して、その円軌跡の大きさや形は変化するが、ベクトル軌跡において最も重要なことは、共振フィルタによって新たに発生した円軌跡が、不安定点である座標（−１、０）から遠ざかる方向に右回りの軌跡を描くことである。これにより、制御系の安定性を保ったまま、共振周波数付近での感度関数のゲイン特性を改善することが可能となる。
【００２０】
ここで、（数２）の連続時間フィルタＣｐｃ（ｓ）のモード定数ａを負（ａ＝−０．１）とした場合について考える。他の定数は図７の場合と同じとする。この場合の開ループ伝達特性の描くベクトル軌跡は図１１となり、共振周波数１９５０Ｈｚ付近にて左回り（反時計回り）に円弧を描くことが確認できる。この場合、制御系は不安定となる。また、Ｃｐｃ（ｓ）のモード定数が負であり粘性係数が大きい場合（ａ＝−０．１、ζ＝０．１）においては、開ループ伝達特性Ｃｐｆ（z）・Ｐ（ｚ）の描くベクトル軌跡７３は図１２となり、共振周波数１９５０ｚ付近にて、不安定点（−１，０）に近づく方向へ右回りの円弧を描く。この場合、不安定点を円弧の内部に含んでいないため、制御系は不安定とはならないが、共振周波数付近での感度関数のゲイン特性は著しく悪化する。
【００２１】
図１３は、図７の特性を持つ共振フィルタ２９を適用した場合の感度関数のゲイン特性である。ここで、感度関数は（数４）にて計算できる。
【数４】
0004010867.tif 000005
また、比較のため、共振フィルタを適用しない場合の感度関数のゲイン特性を図１４に示す。この感度関数は（数５）にて計算できる。
【数５】
0004010867.tif 000006
【００２２】
図１４と図１３を比較すると明らかなように、本発明を適用しない図１４の場合、２ｋＨｚ近傍において感度関数のゲインが約＋６ｄＢとなっていることがわかる。このような周波数では、前記従来技術では、系が不安定となってしまう。一方、図１３に示す本発明を適用した場合には、前述のように安定性が保たれており、その感度関数では、２ｋＨｚ近傍において感度関数のゲインが約−６ｄＢとなっており、本発明を適用しない場合と比較して、制御性能を向上したい２ｋＨｚ近傍での感度関数ゲイン特性を約１２ｄＢ改善していることが確認できる。
【００２３】
本発明を適用した場合の効果を示すため、図１の位置信号２０に周波数２ｋＨｚ、振幅１の正弦波（図１５）を外乱として加えた場合の、位置信号２０の応答を調べた。制御対象３０は図３の特性をもつとし、図１６は図７の共振フィルタを用いた場合の応答であり、図１７は共振フィルタを用いない場合の応答である。本発明を適用した場合、時刻３ｍｓ以降での応答振幅が、本発明を適用しない場合と比較して約４分の１に改善されていることが確認できる。
【００２４】
以上では、図３の特性をもつ制御対象３０を、図４の特性をもつフォロイング補償器２８で制御するのに、更に２ＫＨｚ近傍の制御特性を向上させるための共振フィルタ２９の特性を説明した。ここでは、制御対象及びフォロイング補償器は上の場合と同じであるが、制御特性を向上させる、即ち位置決め精度を向上させる周波数を位相−１８０°交差周波数より高い５ｋＨｚと設定したときの共振フィルタに求められる特性について説明する。この場合、５ｋＨｚは位相−１８０°交差周波数より高い周波数なので、振動モードと同相となるように（数２）のモード定数ａを負とする。ここではａ＝−０．１とする。また、粘性係数ζ＝０とし、共振周波数はω＝２×π×５０５０〔ｒａｄ／ｓ〕とする。図１８はこのときの共振フィルタの特性Ｃｐ（ｚ）（ゲイン特性６１、と位相特性６２）である。
【００２５】
この特性を共振フィルタ２９に与えたときの開ループ伝達特性の示すベクトル軌跡は図１９となり、図６の軌跡に円軌跡６３が付加された形となる。この円軌跡６３は、不安定点である座標（−１、０）から遠ざかる方向への右回りの軌跡であり、やはり制御系の安定性を保ったまま、共振周波数５ｋＨｚ近傍での感度関数のゲインを低くすることができる。
【００２６】
次に、図２に示したヘッド位置決め制御系では、ヘッド駆動機構部はＶＣＭ２を唯一のアクチュエータとして持つものであったが、ここではヘッド駆動機構部アクチュエータが、ＶＣＭの他に微動アクチュエータをもつ２段アクチュエータ駆動系の場合の微動アクチュエータの位置決め制御装置について述べる。本実施の形態では、微動アクチュエータとして２つのピエゾ素子をキャリッジとヘッドを連結するサスペンション上に取り付ける方式とする。図２０はその微動アクチュエータの構成を示しており、ヘッド１、キャリッジ４、サスペンション１０５、ピエゾ素子１０６、ピエゾ素子１０７から成り、ピエゾ素子制御部１０８により制御される。
【００２７】
この微動アクチュエータはピエゾ素子制御入力１０９によりピエゾ素子１０６、１０７を伸縮させ、ヘッド１を図中矢印Ａ、Ａ’の方向へ移動させる。この場合、制御対象はピエゾ素子制御入力１０９からヘッド位置２０までの伝達特性であり、この制御対象の伝達特性Ｐ（ｚ）は、モード定数ａｒが正である１つの振動モードからなる（数６）の機構系モデルＰｃ（ｓ）をディジタル制御系であることを想定して零次ホールド付で離散化したものとする。
【数６】
0004010867.tif 000007
その際、サンプリング時間をＴｓとする。たとえば、ａｒ＝１、ζｒ＝０．０１、ωｒ＝２×π×８０００〔ｒａｄ／ｓ〕とし、サンプリング時間Ｔｓを５０μｓとする。
【００２８】
ピエゾ素子制御部１０８は図１と同様に構成されており、その内部のフォロイング補償器の伝達特性Ｃｆ（ｚ）は、制御対象のもつ振動モードを位相により安定化するよう２次の位相遅れ特性を有し、かつ制御系の開ループ伝達特性におけるゲイン０ｄＢクロスオーバ周波数が２５００Ｈｚとなるようなゲイン特性を有ものとする。
【００２９】
図２１は、このときの開ループ伝達特性Ｐ（ｚ）・Ｃｆ（ｚ）（ゲイン特性１１０、位相特性１１１）を示す。また、図２２は上記開ループ伝達関数のベクトル軌跡である。図２１および図２２から、フォロイング補償器器Ｃｆ（ｚ）により、制御対象の有する振動モードはナイキスト線図の上半平面を通過するように安定化されている。これは、ナイキスト線図の上半平面を通過する周波数域においては、モード定数が正であるモードが安定な位相条件を持つことを示している。一方、ナイキスト線図の下半平面を通過する周波数域においては、振動モードとは逆相となるモード定数が負のモードが安定な位相条件を持つこととなる。つまり、位相−１８０°交差周波数（図２２では５．８ｋＨｚ）より低い周波数ではモード定数が負であるモードが安定であり、位相−１８０°交差周波数より高い周波数においてはモード定数が正であるモードが安定である。
【００３０】
ここで、微動アクチュエータの位置決め精度を向上する周波数を例えば４ｋＨｚとする。すると、４ｋＨｚは位相−１８０°交差周波数である５．８ｋＨｚより低い周波数であるので、共振フィルタの特性を表す（数２）のＣｐｃ（ｓ）のモード定数ａは振動モードと逆相となる負の定数として選定する。モード定数ａ＝−０．０２、粘性係数ζ＝０、共振周波数はω＝２×π×３９５０〔ｒａｄ／ｓ〕とした場合における開ループ伝達特性Ｐ（ｚ）・Ｃｐｆ（ｚ）のベクトル軌跡を図２３に示す。この結果、共振フィルタ設置により生じたベクトル軌跡上の円軌跡１１３は、図１０の円軌跡４８と同様に、不安定点である座標（−１、０）から遠ざかる方向に右回りの軌跡となっており、制御系の安定性を保ったまま４ｋＨｚ付近の制御特性を向上できることを示している。なお、位置決め精度を向上する周波数を例えば７ｋＨｚとする場合は、この周波数が位相−１８０゜交差周波数よりも高いので、（数２）のＣｐｃ（ｓ）のモード定数ａは振動モードと同相となる正の定数として選定することはいうまでもない。
【００３１】
以上、本発明の実施の形態のいくつかを詳細に説明したが、そこで用いる共振フィルタは図２のＭＰＵ１６の処理により実現されるディジタルフィルタとしている。しかしこれをアナログフィルタとすることも可能である。その場合には、共振フィルタは（数２）で示すＣｐｃ（ｓ）となる。
【００３２】
また、共振フィルタの出力は図１のように位置信号２０に加えるとしているが、共振フィルタの出力をＰＥＳから差引くようにしてもよいことは明らかである。また、やはり以上の実施の形態では、制御対象に含まれる無駄時間の影響を考慮していないが、制御対象の持つ無駄時間が制御系に無視できない影響を及ぼす場合もある。その際は、共振フィルタに制御対象と同等の無駄時間特性を含ませることで、無駄時間を考慮した設計が可能となる。その場合、共振フィルタの次数は３次以上となる。
【００３３】
【発明の効果】
本発明によれば、磁気ディスク装置の位置決め制御系において、制御系の感度関数がＯｄＢ以上である周波数域においても、制御系を不安定化することなく特定周波数での位置決め精度を向上させることができる効果がある。
【図面の簡単な説明】
【図１】本発明の位置決め制御装置の構成例を示すブロック線図である。
【図２】磁気ディスク装置のヘッド位置決め制御系を示した機能ブロック図である。
【図３】制御対象のゲイン特性と位相特性例である。
【図４】フォロイング補償器のゲイン特性と位相特性例である。
【図５】図３の特性を持つ制御対象と図４の特性を持つフォロイング補償器を直列結合したときのゲイン特性と位相特性である。
【図６】図５の特性のベクトル軌跡である。
【図７】共振フィルタのゲイン特性と位相特性例である。
【図８】制御部の伝達特性Ｃｐｆ（ｚ）のゲイン特性と位相特性例である。
【図９】図８の特性を持つ制御部と図３の特性を持つ制御対象を接続したときの開ループ伝達特性のゲイン特性と位相特性である。
【図１０】図９の特性のベクトル軌跡である。
【図１１】図７の共振フィルタの振動モード定数の符号を反転した場合の開ループ伝達特性のベクトル軌跡である。
【図１２】図１１の共振フィルタでさらに粘性係数を大きくした場合の開ループ伝達特性のベクトル軌跡である。
【図１３】図９の開ループ伝達特性に対応する感度関数のゲイン特性である。
【図１４】図５の開ループ伝達特性に対応する感度関数のゲイン特性である。
【図１５】位置信号に対する正弦波の外乱信号の例である。
【図１６】図８の特性を持つ制御部によって制御を行ったときの図１５の外乱信号に対する位置信号の時刻歴応答である。
【図１７】図４の特性を持つ制御部によって制御を行ったときの図１５の外乱信号に対する位置信号の時刻歴応答である。
【図１８】共振フィルタの別のゲイン特性と位相特性である。
【図１９】図１８の特性を持つ共振フィルタを適用した場合の開ループ伝達特性のベクトル軌跡である。
【図２０】ピエゾ素子を微動アクチュエータとして用いたヘッド駆動機構制御部を示す図である。
【図２１】制御対象である微動アクチュエータとそのフォロイング補償器を直列結合したときのゲイン特性と位相特性例である。
【図２２】図２１の特性のベクトル軌跡である。
【図２３】図２２のベクトル軌跡に共振フィルタ補償を行って生成した特性のベクトル軌跡である。
【符号の説明】
１  磁気ヘッド
２  ボイスコイルモータ（ＶＣＭ）
４  キャリッジ
５  磁気ディスク
６  スピンドルモータ
１０  ＡＤ変換機
１１  ＤＡ変換機
２０  位置信号
２１  ＶＣＭ制御信号
２４  目標位置
２５  ＰＥＳ
２８  フォロイング補償器
２９  共振フィルタ
３０  制御対象
１０５  サスペンション
１０６  ピエゾ素子
１０７  ピエゾ素子
１０８  ピエゾ素子制御部
【図１】
0004010867.tif 000008
【図２】
0004010867.tif 000009
【図３】
0004010867.tif 000010
【図４】
0004010867.tif 000011
【図５】
0004010867.tif 000012
【図６】
0004010867.tif 000013
【図７】
0004010867.tif 000014
【図８】
0004010867.tif 000015
【図９】
0004010867.tif 000016
【図１０】
0004010867.tif 000017
【図１１】
0004010867.tif 000018
【図１２】
0004010867.tif 000019
【図１３】
0004010867.tif 000020
【図１４】
0004010867.tif 000021
【図１５】
0004010867.tif 000022
【図１６】
0004010867.tif 000023
【図１７】
0004010867.tif 000024
【図１８】
0004010867.tif 000025
【図１９】
0004010867.tif 000026
【図２０】
0004010867.tif 000027
【図２１】
0004010867.tif 000028
【図２２】
0004010867.tif 000029
【図２３】
0004010867.tif 000030